(57)【特許請求の範囲】
【請求項１】
構内交換機の外線に接続された顧客端末の顧客から該構内交換機の内線に接続されたオペレータ端末のオペレータに対する問い合わせを受け付けるコールセンタ電話システムにおいて、
前記構内交換機の内線には、前記オペレータに対する助言や指示を行う監督者が使用する監督者端末が接続され、かつ、前記構内交換機内には、前記外線側の前記顧客端末と前記オペレータ端末との二者間通話接続状態を実現する機能のみならず、会議トランクを利用して、前記外線側の前記顧客端末と前記オペレータ端末と前記監督者端末との三者通話接続状態を実現する機能を少なくとも備え、かつ、前記オペレータ端末は、１つの受話線と、第１の送話線と第２の送話線の２つの送話線を備えて、
前記構内交換機が、
前記外線側の前記顧客端末と前記オペレータ端末との二者間通話接続状態から前記会議トランクを利用した前記三者通話接続状態に切り替える際に、空き状態にある前記会議トランクのいずれかを捕捉し、捕捉した該会議トランクに、前記外線の送話線と、前記オペレータ端末の前記受話線および前記第１の送話線と、前記監督者端末の送話線および受話線とを接続するとともに、前記オペレータ端末の前記第２の送話線を、前記外線の受話線に接続した三者通話接続状態に設定する
コールセンタ電話システムであって、
前記オペレータ端末には、前記オペレータが前記監督者を呼び出すための監督者呼出ボタンが備えられ、
該監督者呼出ボタンが押下操作されたことを検知した前記構内交換機は、前記監督者端末に対して呼出信号を送信し、
前記構内交換機は、前記呼出信号を受信した前記監督者端末から応答信号を受け取った際に、
前記外線側の前記顧客端末と前記オペレータ端末との前記二者間通話接続状態から、捕捉した前記会議トランクに、前記外線の送話線および受話線の双方と、前記オペレータ端末の前記第１の送話線および受話線の双方とを接続し、前記監督者端末の受話線を前記会議トランクに接続した二者間通話内容モニタリング状態に切り替え、
前記監督者端末には、監督者がオペレータに対して助言や指示を行うための契機を与えるアドバイスボタンが備えられ、該アドバイスボタンが押下操作されたことを検知した前記構内交換機が、前記外線の受話線を前記会議トランクから切り離して、前記オペレータ端末の前記第２の送話線に接続するとともに、前記監督者端末の送話線を前記会議トランクにさらに接続して、前記二者間通話内容モニタリング状態から前記三者通話接続状態に切り替える
ことを特徴とするコールセンタ電話システム。
【請求項２】
前記オペレータ端末の前記第２の送話線には、前記外線の受話線との接続をオン・オフすることが可能な切り替えスイッチが接続されていることを特徴とする請求項１に記載のコールセンタ電話システム。
【請求項３】
構内交換機の外線に接続された顧客端末の顧客から該構内交換機の内線に接続されたオペレータ端末のオペレータに対する問い合わせを受け付けるコールセンタ電話システムにおいて、
前記構内交換機において、当該構内交換機内に備えられた会議トランクを利用して、前記外線側の前記顧客端末と前記オペレータ端末と監督者端末との三者通話接続状態に設定する際に、空き状態にある前記会議トランクのいずれかを捕捉し、捕捉した該会議トランクに、前記外線の送話線と、前記オペレータ端末に備えられた第１の送話線と第２の送話線のうち前記第１の送話線および受話線と、前記監督者端末の送話線および受話線とを接続するとともに、前記オペレータ端末の前記第２の送話線を、前記外線の受話線に接続した三者通話接続状態に設定することによって、
前記構内交換機の内線に接続された前記監督者端末から出力される音声を、前記外線側に流すことなく、前記オペレータ端末に対して伝達する秘話通話方法であって、
前記オペレータが監督者を呼び出すために前記オペレータ端末に備えられた監督者呼出ボタンを押下操作することにより、前記構内交換機から前記監督者端末に対して呼出信号を送信させ、
前記呼出信号を受信した前記監督者端末から応答信号を受け取った際に、前記構内交換機において、前記外線側の前記顧客端末と前記オペレータ端末との二者間通話接続状態から、捕捉した前記会議トランクに、前記外線の送話線および受話線の双方と、前記オペレータ端末の前記第１の送話線および受話線の双方とを接続し、前記監督者端末の受話線を前記会議トランクに接続した二者間通話内容モニタリング状態に切り替え、
前記監督者がオペレータに対して助言や指示を行うための契機を与えるアドバイスボタンが押下操作されたことを検知した際に、前記構内交換機において、前記外線の受話線を前記会議トランクから切り離して、前記オペレータ端末の前記第２の送話線に接続するとともに、前記監督者端末の送話線を前記会議トランクにさらに接続して、前記二者間通話内容モニタリング状態から前記三者通話接続状態に切り替える
ことを特徴とする秘話通話方法。
【請求項４】
前記外線の受話線との接続をオン・オフすることを可能にするために、前記オペレータ端末の前記第２の送話線にさらに接続された切り替えスイッチのオン・オフ状態を制御することにより、前記オペレータ端末から出力される音声を、前記外線側に流すことなく、前記監督者端末に伝達することを特徴とする請求項３に記載の秘話通話方法。
【請求項５】
請求項３または４に記載の秘話通話方法を、コンピュータによって実行可能なプログラムとして実施していることを特徴とする秘話通話プログラム。
【発明の詳細な説明】
【技術分野】
【０００１】
本発明は、コールセンタ電話システム、秘話通話方法および秘話通話プログラムに関する。
【背景技術】
【０００２】
一般に、コールセンタ電話システムにおいては、顧客からの問い合わせに対してオペレータのみでは対応できない案件がしばしばあり、監督者の指示を仰ぐことがある。しかし、従来のコールセンタ電話システムにおいては、特許文献１の特開２００５−０９４５６９号公報「ＩＰコールセンタシステムおよびその装置並びにプログラム」等にも記載されているように、顧客とオペレータとの間の通話内容を監督者がモニタする場合は、監督者はオペレータの顧客との対応状況を把握することはできるものの、顧客と通話中の状態にあるオペレータに対して監督者から助言や用件を伝えることはできない。
【０００３】
また、特許文献２の特開２００４−２５２６６８号公報「コンタクトセンタ運用管理プログラム、装置および方法」等に記載されているように、顧客とオペレータとの間の通話に監督者が割り込みを行う場合は、顧客と通話中の状態にあるオペレータに監督者から助言や用件を伝えることはできるものの、その内容は、外線の顧客側にも聞こえてしまう。したがって、監督者がオペレータに助言や用件を伝える際に、監督者とオペレータとの間のみで通話を行う状態に設定するためには、顧客が接続されている外線を保留状態に設定しなければならないので、外線に接続されている顧客を待たせる状態が発生する。
【先行技術文献】
【特許文献】
【０００４】
【特許文献１】特開２００５−０９４５６９号公報（第４−６頁）
【特許文献２】特開２００４−２５２６６８号公報（第５−７頁）
【発明の開示】
【発明が解決しようとする課題】
【０００５】
前述したように、特許文献１、２のような従来のコールセンタ電話システムにおいては、監督者向け機能として、通話モニタ機能と三者通話機能が備えられている。、監督者は、通話モニタ機能により、顧客とオペレータとの間の通話を聴取することができ、また、三者通話機能により、顧客とオペレータとの間の通話に割り込んで話をすることも可能であった。
【０００６】
しかしながら、監督者が割り込む場合、顧客と接続されている外線を保留状態に設定しない限り、顧客に聞かれないようにして、監督者とオペレータとの間で話をすることができなかった。
【０００７】
つまり、コールセンタ電話機能の一部である監督者向けの通話モニタおよび通話割り込み機能においては、監督者は、顧客とオペレータとの通話が行われている間は、外線（顧客）とオペレータ端末との間の二者間通話をモニタして、顧客とオペレータとの通話が終了した後に、オペレータに助言や用件を伝えることにするか、あるいは、顧客とオペレータとの通話中に通話割り込みを行い、監督者端末と外線（顧客）とオペレータ端末との三者通話接続状態を設定して、オペレータへの助言や用件を伝えることにするか、のいずれか一方しか選択することができない。また、後者の場合、監督者からの助言や用件をオペレータ端末のみに伝えたい場合には、一旦、外線（顧客）との通話を保留状態に移行させてから、監督者端末とオペレータ端末との二者間通話を行わなければならない。
【０００８】
外線（顧客）との通話を保留状態に移行することは、外線側の顧客を、無音のまま、または、保留音を鳴動させながら、待たせてしまうことになるので、顧客側の快適性を損なうおそれがあった。このため、通話モニタ機能を利用して、監督者がオペレータの対応状況を確認した上で、顧客を待たせることなく、顧客と通話中であっても、オペレータのみに監督者からの助言や用件を伝えたいとの要望があった。
【０００９】
（本発明の目的）
本発明は、かかる問題に鑑みてなされたものであり、顧客との接続を保留状態にして顧客を待たせたり、顧客に聞かれたりすることもなく、顧客との通話中の状態にあるオペレータに監督者からの用件や助言を伝えることを可能にするコールセンタ電話システム、秘話通話方法および秘話通話プログラムを提供することを、その目的としている。
【課題を解決するための手段】
【００１０】
前述の課題を解決するため、本発明によるコールセンタ電話システム、秘話通話方法および秘話通話プログラムは、主に、次のような特徴的な構成を採用している。
【００１１】
（１）本発明によるコールセンタ電話システムは、
構内交換機の外線に接続された顧客端末の顧客から該構内交換機の内線に接続されたオペレータ端末のオペレータに対する問い合わせを受け付けるコールセンタ電話システムであって、
前記構内交換機の内線には、前記オペレータに対する助言や指示を行う監督者が使用する監督者端末が接続され、
かつ、前記構内交換機内には、前記外線側の前記顧客端末と前記オペレータ端末との二者間通話接続状態を実現する機能のみならず、会議トランクを利用して、前記外線側の前記顧客端末と前記オペレータ端末と前記監督者端末との三者通話接続状態を実現する機能を少なくとも備え、
かつ、前記オペレータ端末は、受話側の通話線として１つの受話線と、送話側の通話線として第１の送話線と第２の送話線との２つの通話線を備えて、
前記構内交換機が前記外線側の前記顧客端末と前記オペレータ端末との二者間通話接続状態から前記会議トランクを利用した前記三者通話接続状態に切り替える際に、空き状態にある前記会議トランクのいずれかを捕捉し、捕捉した該会議トランクに、前記外線の送話側の通話線である送話線と、前記オペレータ端末の前記受話線および前記第１の送話線と、前記監督者端末の送話側の通話線である送話線および受話側の通話線である受話線と、を接続するとともに、前記オペレータ端末の前記第２の送話線を、前記外線の受話側の通話線である受話線に接続した三者通話接続状態に設定する
ことを特徴とする。
【００１２】
（２）本発明による秘話通話方法は、
構内交換機の外線に接続された顧客端末の顧客から該構内交換機の内線に接続されたオペレータ端末のオペレータに対する問い合わせを受け付けるコールセンタ電話システムにおいて、前記構内交換機の内線に接続された監督者端末から出力される音声を、前記外線側に流すことなく、前記オペレータ端末に対して伝達する秘話通話方法であって、
前記構内交換機において、当該構内交換機内に備えられた会議トランクを利用して、前記外線側の前記顧客端末と前記オペレータ端末と前記監督者端末との三者通話接続状態に設定する際に、
空き状態にある前記会議トランクのいずれかを捕捉し、捕捉した該会議トランクに、前記外線の送話側の通話線である送話線と、前記オペレータ端末に送話側の通話線として備えられた第１の送話線と第２の送話線との２つの通話線のうち、前記第１の送話線および前記オペレータ端末の受話側の通話線である受話線と、前記監督者端末の送話側の通話線である送話線および受話側の通話線である受話線と、を接続するとともに、前記オペレータ端末の前記第２の送話線を、前記外線の受話側の通話線である受話線に接続した三者通話接続状態に設定する
ことを特徴とする。
【００１３】
（３）本発明による秘話通話プログラムは、前記（２）に記載の秘話通話方法を、コンピュータによって実行可能なプログラムとして実施していることを特徴とする。
【発明の効果】
【００１４】
本発明のコールセンタ電話システム、秘話通話方法および秘話通話プログラムによれば、以下のような効果を奏することができる。
【００１５】
第１に、オペレータが監督者からの助言や用件や指示を受け取ろうとする際に、構内交換機内に備えられた会議トランクに、顧客端末が接続されている外線の送話線と、オペレータ端末の受話線および２つの送話線のうち内線接続用の第１の送話線と、監督者端末の送話線および受話線とを接続し、当該外線の受話線はオペレータ端末の２つの送話線のうち外線接続用の第２の送話線と接続した三者通話接続状態に設定するので、顧客の顧客端末が接続される外線を保留状態に設定しなくても、顧客に聞かれることなく、顧客との通話中の状態にあるオペレータは監督者からの助言や用件や指示を得ることができる。
【００１６】
第２に、外線の受話線に接続されるオペレータ端末の第２の送話線に接続状態をオン・オフする切り替えスイッチをさらに備えた構成にし、前記三者通話接続状態において、オペレータが監督者に対する音声を発しようとする際に、前記切り替えスイッチをオフにして、外線の受話線との接続状態を一旦開放することにより、顧客の顧客端末が接続される外線を保留状態に設定しなくても、顧客に聞かれることなく、顧客との通話中の状態にあるオペレータは、監督者と相談したり、監督者の指示内容や用件を確認したり、問い合わせたりすることができる。
【図面の簡単な説明】
【００１７】
【図１】本発明によるコールセンタ電話システムの構成例を示すシステム構成図である。
【図２】図１に示したコールセンタ電話システムの接続構成の一例を示す接続構成図である。
【図３】図１、図２に示したコールセンタ電話システムの動作の一例を説明するためのシーケンスチャートである。
【図４】図１に示したコールセンタ電話システムの接続構成の他の例を示す接続構成図である。
【発明を実施するための形態】
【００１８】
以下、本発明によるコールセンタ電話システム、秘話通話方法および秘話通話プログラムの好適な実施形態について添付図を参照して説明する。なお、以下の説明においては、本発明によるコールセンタ電話システムおよび秘話通話方法について説明するが、かかる秘話通話方法をコンピュータにより実行可能な秘話通話プログラムとして実施するようにしても良いし、あるいは、秘話通話プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１９】
（本発明の特徴）
本発明の実施形態の説明に先立って、本発明の特徴についてその概要をまず説明する。本発明は、外線（顧客）とオペレータとの間の二者間通話状態から、三者通話用の会議トランクを利用して、外線（顧客）に対する秘話状態を有する、監督者を含めた三者通話状態へ切り替えることにより、オペレータと通話中の外線側の顧客を保留状態に移行させることもなく、外線側の顧客と通話中のオペレータに対し、外線側の顧客には聞こえないようにして、監督者が助言や用件を伝えることができることを主要な特徴としている。
【００２０】
すなわち、本発明によるコールセンタ電話システムにおいては、オペレータ端末は、送話口（マイク）に送話用の通話線として第１および第２の２つに分岐する送話線を接続し、受話口（スピーカまたはイヤホン）には受話用の通話線として１つの受話線を接続した構成からなっている。そして、外線（顧客）とオペレータ端末との間の通常の二者間通話状態から、監督者を含む三者通話の状態に切り替えて設定する際に、オペレータ端末は、送話口（マイク）に分岐して接続される一方の第１の送話線が、三者通話用の会議トランクに接続され、他方の第２の送話線が、外線側の受話線と接続されたまま、または、別途備えた切り替えスイッチを介して外線側の受話線と接続された状態に設定される。また、受話口（スピーカまたはイヤホン）に接続される受話線は、三者通話用の会議トランクに接続した状態に設定される。
【００２１】
一方、外線は、送話線つまり送話側の通話線と受話線つまり受話側の通話線でなる。その送話線は三者通話用の会議トランクに接続する。他方、その受話線は、オペレータ端末側の前記第２の送話線を介して、オペレータ端末と接続したままの状態を継続するか、または、オペレータ端末側の該第２の送話線に別途備えた切り替えスイッチを介してオペレータ端末と接続された状態に設定される。
【００２２】
また、監督者端末は、受話側、送話側の双方の通話線を共に三者通話用の会議トランクに接続した状態に設定される。
【００２３】
かくのごとく、本発明によるコールセンタ電話システムにおいては、顧客とオペレータとの間の二者間通話状態から、会議トランクを利用して、顧客に対する秘話機能を有する、監督者を含めた三者通話状態へ切り替えることができる。そして、この三者通話状態へ切り替えた通話パスを形成した際には、監督者が使用する監督者端末の送話線および受話線の双方は会議トランクに接続される。顧客側の顧客端末に接続した外線における送話線は、会議トランクに接続し、一方、その外線における受話線は、会議トランクには接続されず、オペレータ端末側の前記第２の送話線に接続される。或いは、オペレータ端末側の前記第２の送話線に切り替えスイッチを設け、外線における受話線とオペレータ端末側の前記第２の送話線との接続をオン・オフすることにより、オペレータ端末側の第２の送話線と外線における受話線との接続を断続することもできる。
【００２４】
而して、会議トランクに受話線と送話線とを接続した監督者端末の監督者は、顧客とオペレータとの間の通話をモニタしながら、外線（顧客）を保留状態に設定しなくても、顧客にオペレータとの間の通話内容を聞かれることなく、オペレータとの間の通話を行うことが可能になり、顧客と通話中の状態にあるオペレータに対して、助言や用件や指示を伝えることができるし、オペレータからの相談を受け取ることもできる。
【００２５】
（実施形態の構成例）
本発明の一実施形態としてコールセンタ電話システムの構成例について、図１を参照して詳細に説明する。図１は、本発明によるコールセンタ電話システムの構成例を示すシステム構成図であり、三者通話用の会議トランクが内蔵された構内交換機を備えたコールセンタ電話システムのシステム構成例を示している。
【００２６】
図１に示すコールセンタ電話システムは、構内交換機５０内に、ネットワーク３０との間を接続する外線３を収容するための外線収容パッケージ５１、三者通話接続を行う会議トランク５２、内線端末収容パッケージ５３を含んでいる。内線端末収容パッケージ５３は、内線側に配置しているオペレータ端末１０および監督者端末２０を、第１の内線１および第２の内線２を介してそれぞれ収容する。また、ネットワーク３０には、ネットワーク３０を介してコールセンタ電話システムのサービスを利用しようとする顧客が使用する顧客端末４０が接続されている。
【００２７】
なお、構内交換機５０は、スイッチ網（図示せず。）を内部に有する。構内交換機５０は、スイッチ網を用いて、外線収容パッケージ５１を、会議トランク５２に接続したり、あるいは、内線端末収容パッケージ５３に接続したりすることができる。同様に、構内交換機５０は、そのスイッチ網を用いて、会議トランク５２を、外線収容パッケージ５１に接続したり、あるいは、内線端末収容パッケージ５３に接続したりすることが可能である。
【００２８】
次に、図２を参照しながら、図１に示したコールセンタ電話システムの接続構成例について説明する。図２は、図１に示したコールセンタ電話システムの接続構成の一例を示す接続構成図であり、顧客とオペレータとの間の二者間通話状態から監督者を含めた三者通話状態へ切り替えた後の接続状態を示している。この図２には、構内交換機５０内の会議トランク５２を用いて、第１の内線１を介して接続したオペレータ端末１０と、第２の内線２を介して接続した監督者端末２０と、外線３、ネットワーク３０を介して接続した顧客端末４０と、の間の三者通話接続状態の一例が示してある。
【００２９】
オペレータ端末１０が接続される第１の内線１は、第１の送話線１１および第２送話線１２並びに受話線１３でなる。第２の送話線１２は、第１の送話線１１から分岐して設けてある。第１の送話線１１は会議トランク５２との接続用であり、第２送話線１２は外線３側との接続用である。顧客とオペレータとの間の二者間通話状態においては、顧客端末４０がネットワーク３０を介して接続された外線３の受話線３２は、第２の送話線１２に接続される。他方、外線３の送話線３１は、オペレータ端末１０の受話線１３に接続されて、顧客とオペレータとの間の二者間通話が実施されている。
【００３０】
かかる二者間通話状態において、例えば、監督者がその通話内容をモニタリングしようとする場合、あるいは、顧客と通話中のオペレータに対して監督者から用件や助言等を送信しようとする場合に、監督者端末２０に備えられているアドバイスボタンを押下操作することにより、顧客側の外線３を保留状態に移行させることなく、顧客とオペレータとの間の二者間通話状態から、オペレータと監督者との間の通話に関する顧客への秘話機能を有する、三者通話状態に切り替える。図２の接続構成図は、かくのごとく切り替えた三者通話状態の接続構成例を示している。
【００３１】
図２に示すコールセンタ電話システムの接続構成例においては、前述したように、オペレータ端末１０が接続される第１の内線１については、オペレータ端末１０の送話口（マイク）に接続する送話側の通話線として、三者通話接続用の会議トランク５２への接続を行うための内線接続用の第１の送話線１１と、外線３への接続を行うための外線接続用の第２の送話線１２との２つの送話線が分岐して備えられ、オペレータ端末１０の受話口（スピーカまたはイヤホン）に接続する受話側の通話線として、１つの受話線１３が備えられている。
【００３２】
また、監督者端末２０が接続される第２の内線２については、監督者端末２０の送話口（マイク）に接続する送話側の通話線として、１つの送話線２１が備えられ、監督者端末２０の受話口（スピーカまたはイヤホン）に接続する受話側の通話線として、１つの受話線２２が備えられている。
【００３３】
また、顧客端末４０がネットワーク３０を介して接続されている外線３については、顧客端末４０からの送話音声を伝える送話側の通話線として、１つの送話線３１が備えられ、また、顧客端末４０への受話音声を伝える受話側の通話線として、１つの受話線３２が備えられている。
【００３４】
なお、図２に示す接続構成図においては、図１に示した構内交換機５０内の外線収容パッケージ５１、および、内線端末収容パッケージ５３の記載を省略して示している。
【００３５】
図２において、例えば、オペレータと顧客との間の通話内容を監督者がモニタリングしようとして、あるいは、監督者からオペレータに対して用件や助言等を送信しようとして、監督者が監督者端末２０に備えられているアドバイスボタンを押下操作した場合、空き状態にある会議トランク５２のいずれか一つが捕捉されて、図２の接続構成図に示すように、監督者の監督者端末２０は、送話線２１つまり送話側の通話線、受話線２２つまり受話側の通話線の双方が、共に、内線端末収容パッケージ５３を介して、捕捉された会議トランク５２に接続される。
【００３６】
また、外線３の送話線３１つまり送話側の通話線は、外線収容パッケージ５１を介して、オペレータ端末１０の受話線１３つまり受話側の通話線に接続されていた状態から、会議トランク５２に接続された状態に切り替わる。また、外線３の受話線３２つまり受話側の通話線は、外線収容パッケージ５１および内線端末収容パッケージ５３を介して、オペレータ端末１０の外線接続用の第２の送話線１２に接続されたままの状態が継続する。
【００３７】
また、オペレータ端末１０においては、オペレータ端末１０の受話線１３つまり受話側の通話線は、内線端末収容パッケージ５３および外線収容パッケージ５１を介して、顧客端末４０が接続されている外線３の送話線３１に接続されていた状態から、内線端末収容パッケージ５３を介して会議トランク５２に接続された状態に切り替わる。また、オペレータ端末１０の外線接続用の第２の送話線１２つまり送話側の通話線は、内線端末収容パッケージ５３および外線収容パッケージ５１を介して、外線３の受話線３２に接続されたままの状態が継続する。他方、オペレータ端末１０の内線接続用の第１の送話線１１つまり送話側の通話線は、内線端末収容パッケージ５３を介して会議トランク５２に新たに接続される。
【００３８】
ここで、会議トランク５２内の接続機能により、オペレータ端末１０の第１の送話線１１は、オペレータ端末１０の受話線１３および監督者端末２０の受話線２２の双方に接続され、監督者端末２０の送話線２１は、オペレータ端末１０の受話線１３のみに接続される。また、外線３の送話線３１は、オペレータ端末１０の受話線１３および監督者端末２０の受話線２２の双方に接続される。
【００３９】
したがって、顧客からの音声は、外線３の送話線３１、会議トランク５２、受話線１３および受話線２２を介して、オペレータ端末１０のオペレータと監督者端末２０の監督者との双方に出力される。また、オペレータ端末１０のオペレータからの音声は、第２の送話線１２、外線３の受話線３２およびネットワーク３０を介して、顧客側の顧客端末４０に出力されると同時に、第１の送話線１１、会議トランク５２および受話線２２を介して監督者端末２０の監督者にも出力される。この結果、監督者端末２０の監督者は、外線３に接続された顧客とオペレータ端末１０のオペレータとの通話状態をモニタすることができる状態に設定される。
【００４０】
さらに、監督者端末２０の監督者からの音声は、送話線２１、会議トランク５２および受話線１３を介して、オペレータ端末１０側にのみ出力され、外線３に接続されている顧客端末４０側には出力されない。したがって、顧客との通話中の状態にあるオペレータに対して監督者から助言や用件等を伝えようとする場合であっても、監督者からオペレータに発せられる助言や用件等の音声は、顧客側に対する秘話状態を確保して、顧客側に聞こえることはなく、オペレータのみに伝達することができる。
【００４１】
ただし、図２の接続構成の場合、オペレータ端末１０のオペレータからの音声は、第１の送話線１１、会議トランク５２および受話線２２を介して監督者端末２０の監督者に伝達されると同時に、第２の送話線１２、外線３の受話線３２およびネットワーク３０を介して、顧客側の顧客端末４０にも出力されてしまうため、監督者からオペレータに発せられる助言や用件等を受け取った際に、オペレータは、監督者に対する応答や質問や相談等の音声を発することなく、無言のまま、聞き取ることが必要である。
【００４２】
（実施形態の動作の説明）
次に、図１、図２に示したコールセンタ電話システムの動作について、その一例を、図３のシーケンスチャートを参照しながら詳細に説明する。図３は、図１、図２に示したコールセンタ電話システムの動作の一例を説明するためのシーケンスチャートであり、外線３側に接続されている顧客端末４０の顧客とオペレータ端末１０のオペレータとの通話中において、オペレータが監督者から何らかの助言等を受けようとする場合の外線３とオペレータ端末１０と監督者端末２０との動作の一例を示している。
【００４３】
つまり、図３のシーケンスチャートは、顧客と対応中のオペレータが、顧客との通話内容を監督者にモニタリングしてもらい、そのモニタリング結果に基づいて、監督者からの助言や用件等を受け取ろうとする場合の動作について、その一例を示している。したがって、図３は、オペレータと顧客との間の通話内容を監督者がモニタリングしようとして、あるいは、監督者からオペレータに対して助言や用件等を送信しようとして、監督者が監督者端末２０に備えられているアドバイスボタンを押下操作するという、前述の場合の動作を示すものではない。
【００４４】
図３のシーケンスチャートで説明する動作は、まず、コールセンタへの問い合わせを行った顧客の顧客端末４０が接続されている外線３とオペレータ端末１０との間で、顧客とオペレータとの二者間通話状態が継続している（シーケンスＳｅｑ１）状態から開始する。この状態で、顧客と対応中のオペレータは、当該顧客との通話内容に基づく助言や用件等を監督者から受けようとして、オペレータ端末１０に別途備えられている監督者呼出ボタンを押下操作する（シーケンスＳｅｑ２）。
【００４５】
オペレータ端末１０の監督者呼出ボタンの押下信号を、第１の内線１を介して受け取った構内交換機５０は、第２の内線２を介して、監督者端末２０に対して呼出信号を送出し、監督者を呼び出す（シーケンスＳｅｑ３）。該呼出信号に応じて監督者が応答操作を行うと（シーケンスＳｅｑ４）、監督者端末２０から、第２の内線２を介して、構内交換機５０に対して応答信号が返送されてくる。
【００４６】
構内交換機５０は、監督者端末２０からの応答信号を受け取ると、外線３の受話線３２および送話線３１それぞれを、オペレータ端末１０の第２の送話線１２および受話線１３それぞれと接続した状態から脱して、空き状態にある会議トランク５２のいずれか一つを捕捉して、捕捉した会議トランク５２に、外線３の受話線３２および送話線３１の双方を接続替えし、オペレータ端末１０の受話線１３および内線接続用の第１の送話線１１の双方を接続替えするとともに、監督者端末２０に関しては、受話線２２のみを接続する二者間通話内容モニタリング状態に設定する（シーケンスＳｅｑ５）。
【００４７】
かくのごとき二者間通話内容モニタリング状態においては、会議トランク５２を介して、顧客とオペレータとの間の通話内容が監督者端末２０の受話線２２から出力されるので、監督者は、その通話内容をモニタリングすることができる。
【００４８】
しかる後、顧客とオペレータとの間の通話内容のモニタリング結果に基づいて、監督者が、オペレータに対して伝達しようとする助言や用件を決定すると、監督者は、監督者端末２０に別途備えられているアドバイスボタンを押下操作する（シーケンスＳｅｑ６）。
【００４９】
監督者端末２０のアドバイスボタンの押下信号を、第２の内線２を介して受け取った構内交換機５０は、捕捉していた会議トランク５２に対して、監督者端末２０の受話線２２のみならず、送話線２１も接続した状態に切り替えるとともに、当該会議トランク５２に接続されていた外線３の受話線３２を切り離して、外線３については、送話線３１のみを会議トランク５２に接続した状態に切り替える（シーケンスＳｅｑ７）。さらに、会議トランク５２との接続状態を切り離された外線３の受話線３２は、オペレータ端末１０の外線接続用の第２の送話線１２に新たに接続される（シーケンスＳｅｑ８）。なお、オペレータ端末１０の受話線１３および内線接続用の第１の送話線１１の双方については、会議トランク５２に接続した状態をそのまま継続する。
【００５０】
かくのごとき三者通話接続状態においては、監督者が、顧客とオペレータとの通話内容のモニタリング結果に基づく、監督者からオペレータに対する助言や用件を、顧客に聞かれることなく、監督者端末２０の送話線２１から会議トランク５２、オペレータ端末１０の受話線１３を介して、オペレータ端末１０に送出して、オペレータに伝達することができる（シーケンスＳｅｑ９）。つまり、オペレータが顧客との通話中の状態にあっても、外線３（顧客）側に対する秘話機能を確保しつつ、監督者はオペレータに対してのみ助言や用件を伝達することができる。
【００５１】
また、外線３に接続された顧客端末４０は、保留状態に設定されることがないので、当該顧客端末４０の顧客は、オペレータに対する音声をオペレータ端末１０の受話線１３に対して会議トランク５２を介して送信することができ、また、オペレータからの音声は、会議トランク５２を介することなく、シーケンスＳｅｑ８において新たに接続されたオペレータ端末１０の外線接続用の第２の送話線１２から外線３の受話線３２を経由して受け取ることができる。
【００５２】
なお、シーケンスＳｅｑ８により外線３の受話線３２とオペレータ端末１０の第２の送話線１２とが接続された状態になっているので、オペレータが発する音声は、外線３を介して、顧客側に伝達されることになるということは、監督者に対してオペレータが発する音声についても、顧客側に流れてしまうことを意味している。したがって、シーケンスＳｅｑ８以降においては、監督者からのオペレータに対する助言や用件に関する確認や問い合わせ、相談等の音声をオペレータは一切発することなく、オペレータは、無言のまま、監督者からのオペレータに対する助言や用件を聞き取ることが要求される。
【００５３】
（他の実施形態の構成例）
図２、図３に示したコールセンタ電話システムにおいては、前述したように、会議トランク５２を介した三者通話接続状態に切り替えた以降においては、オペレータが発する音声が、オペレータ端末１０の第１の送話線１１から会議トランク５２を介して監督者端末２０の監督者側に伝達されると同時に、オペレータ端末１０の第２の送話線１２から外線３を介して顧客端末４０の顧客側にも伝達されてしまう。このため、オペレータは、監督者からのオペレータに対する助言や用件を無言で聞き取ることが必要となり、監督者に対して確認や問い合わせ、相談等の音声をオペレータから発することが一切できないという、不便がある。
【００５４】
図４は、図１に示したコールセンタ電話システムの接続構成の他の例を示す接続構成図である。図４の接続構成例では、図３の構成における上述の不便の解消を可能にしている。本接続構成例では、オペレータは、監督者からのオペレータに対する助言や用件を無言で聞き取るのではなく、監督者に対して確認や問い合わせ、相談等に関する音声を発し、監督者との意思疎通をより緊密にすることができる。
【００５５】
図４に示すコールセンタ電話システムの接続構成例は、オペレータ端末１０の外線接続用の第２の送話線１２についてのみ、図２の接続構成例と異なるだけで、その他の部位については、図２の接続構成例と全く同様である。図４に示すコールセンタ電話システムにおいては、オペレータ端末１０の外線接続用の第２の送話線１２に、外線３の受話線３２との接続状態のオン・オフを切り替えることが可能な切り替えスイッチ１２Ａを、図２の構成例にさらに追加して、第２の送話線１２を切り替えスイッチ付き送話線として構成している。
【００５６】
かくのごとき切り替えスイッチ付き送話線を採用することによって、会議トランク５２を利用した三者通話接続状態において、オペレータ端末１０の２つの送話線（第１の送話線１１、第２の送話線１２）の接続状態に関し、会議トランク５２だけに接続している状態（切り替えスイッチ１２Ａがオフ状態の場合）と、会議トランク５２と外線３との双方に接続している状態（切り替えスイッチ１２Ａがオン状態の場合）と、を切り替えることができる。
【００５７】
而して、オペレータが発する音声を、顧客端末４０が接続されている外線３側に伝達したい場合は、オペレータは、切り替えスイッチ１２Ａをオン状態に設定して、オペレータ端末１０の第２の送話線１２と外線３の受話線３２とを接続した状態にすれば良い。そして、かかる接続状態におけるオペレータと顧客との通話内容は、オペレータ端末１０の第１の送話線１１、および、外線３の送話線３１が接続されている会議トランク５２を介して、監督者端末２０にも出力されるので、監督者によって、当該通話内容をモニタリングすることが可能である。
【００５８】
また、監督者への相談、問い合わせ等を行うために、オペレータが発する音声を、顧客端末４０が接続されている外線３側に流すことなく、監督者端末２０の監督者のみに伝達したい場合は、オペレータは、切り替えスイッチ１２Ａをオフ状態に切り替えて、オペレータ端末１０の第２の送話線１２と外線３の受話線３２との接続を開放した状態に設定すれば良い。かかる接続状態においては、オペレータが発する音声は、外線３の顧客側に漏れることなく、オペレータ端末１０の第１の送話線１１が接続されている会議トランク５２を介して、監督者端末２０に出力され、監督者に伝達することができる。このとき、会議トランク５２には、オペレータ端末１０の第１の送話線１１、受話線１３の双方、監督者端末２０の送話線２１、受話線２２の双方が接続されているので、顧客に聞かれることなく、オペレータから監督者への相談、問い合わせ、確認や、監督者からオペレータへの助言、指示、用件等について、双方で密接にやり取りすることができる。
【００５９】
また、以上には、顧客からコールセンタ電話システムに対する着信があった以降、オペレータがオペレータ端末１０に備えられている監督者呼出ボタンの押下操作を行うまでの間は、顧客とオペレータとの間の二者間通話状態が、会議トランク５２を介することなく、外線３の送話線３１、受話線３２のそれぞれが、オペレータ端末１０の受話線１３、外線接続用の第２の送話線１２それぞれに接続された状態に設定する場合について説明した。
【００６０】
しかし、本発明は、かくのごとき場合のみに限るものではない。例えば、会議トランク５２の数として十分な備えがなされていた場合には、信号のやり取り回数や接続切り替え回数を低減し、処理量の削減を図るために、顧客からコールセンタ電話システムに対する着信があった際に、空き状態にある会議トランクのいずれかを直ちに捕捉して、顧客とオペレータとの間の二者間通話状態を、会議トランク５２を介した接続状態に設定するようにしても良い。つまり、捕捉した会議トランクに、外線３の送話線３１、受話線３２の双方と、オペレータ端末１０の第１の送話線１１、受話線１３の双方とを接続した二者間通話接続状態に設定しても良い。
【００６１】
さらに、顧客とオペレータとの通話内容を通話開始時点から監督者がモニタリングすることが可能なように、捕捉した会議トランク５２には、少なくとも、監督者端末２０の受話線２２も同時に接続するようにしても良い。
【００６２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６３】
１        第１の内線
２        第２の内線
３        外線
１０      オペレータ端末
１１      第１の送話線
１２      第２の送話線
１２Ａ    切り替えスイッチ
１３      受話線
２０      監督者端末
２１      送話線
２２      受話線
３０      ネットワーク
３１      送話線
３２      受話線
４０      顧客端末
５０      構内交換機
５１      外線収容パッケージ
５２      会議トランク
５３      内線端末収容パッケージ
【図１】
0005995291.tif 000002
【図２】
0005995291.tif 000003
【図３】
0005995291.tif 000004
【図４】
0005995291.tif 000005